【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
画像データを圧縮符号化する画像処理装置であって、
量子化誤差演算モードを設定する設定手段と、
画像データを前記量子化誤差演算モードに応じた量子化誤差演算方法及び第１の量子化ステップに基づいて符号化する第１の符号化手段と、
前記第１の符号化手段で得られた符号化データを復号し、前記量子化誤差演算モードに応じた量子化誤差演算方法及び第２の量子化ステップに基づいて再符号化する第２の符号化手段と、
前記第１の符号化手段によって生成される符号化データの符号量を監視すると共に、当該符号量が所定量になったか否かを判断する符号量監視手段とを備え、
前記符号量監視手段によって前記符号量が所定量に達したと判断した場合に、
前記量子化誤差演算モードに応じた量子化誤差演算方法を再設定すると共に、前記第１、第２の量子化ステップを変更し、
前記第１の符号化手段で既に得られた符号化データを前記第２の符号化手段によって再符号化させ、
前記再符号化により得られた再符号化データを、前記第１量子化ステップを変更後の第１の符号化手段により前記画像データを符号化して得られた符号化データとして、所定の記憶手段に記憶させ、
前記第１量子化ステップを変更後の第１の符号化手段により、未だ符号化されていない後続の画像データを符号化させ、後続の符号化データとして前記記憶手段に記憶させる
ことを特徴とする画像処理装置。
【請求項２】
前記量子化誤差演算モードには、圧縮率優先モード、エッジ強調強モード、エッジ強調弱モードが含まれることを特徴とする請求項第１項に記載の画像処理装置。
【請求項３】
前記量子化誤差演算のモードには、画質優先モードが更に含まれることを特徴とする請求項第２項に記載の画像処理装置。
【請求項４】
前記圧縮率優先モードは、初期段階では量子化後のデータの小数点以下を四捨五入し、符号データ量が前記所定量には到達した以降では切り捨てが行われることを特徴とする請求項第２項に記載の画像処理装置。
【請求項５】
前記エッジ強調強モードは、初期段階では量子化後のデータの小数点以下を四捨五入し、符号データ量が前記所定量には到達した以降では条件つき切り上げが行われることを特徴とする請求項第２項に記載の画像処理装置。
【請求項６】
前記条件つき切り上げは、量子化後のデータが所定値以上の値である場合に行われることを特徴とする請求項第５項に記載の画像処理装置。
【請求項７】
前記エッジ強調弱モードは、初期段階では量子化後のデータの小数点以下を四捨五入し、符号データ量が前記所定量には到達した以降では条件つき切り捨てが行われることを特徴とする請求項第２項に記載の画像処理装置。
【請求項８】
前記条件つき切り捨ては、量子化後のデータが所定値以上の値である場合に行われることを特徴とする請求項第７項に記載の画像処理装置。
【請求項９】
画像データを圧縮符号化する画像処理方法であって、
量子化誤差演算モードを設定する設定工程と、
画像データを前記量子化誤差演算モードに応じた量子化誤差演算方法及び第１の量子化ステップに基づいて符号化する第１の符号化工程と、
前記第１の符号化工程で得られた符号化データを復号し、前記量子化誤差演算モードに応じた量子化誤差演算方法及び第２の量子化ステップに基づいて再符号化する第２の符号化工程と、
前記第１の符号化手段によって生成される符号化データの符号量を監視すると共に、当該符号量が所定量になったか否かを判断する符号量監視工程とを備え、
前記符号量監視工程によって前記符号量が所定量に達したと判断した場合に、
前記量子化誤差演算モードに応じた量子化誤差演算方法を再設定すると共に、前記第１、第２の量子化ステップを変更し、
前記第１の符号化手段で既に得られた符号化データを前記第２の符号化工程によって再符号化させ、
前記再符号化により得られた再符号化データを、前記第１量子化ステップを変更後の第１の符号化手段により前記画像データを符号化して得られた符号化データとして、所定の記憶手段に記憶させ、
前記第１量子化ステップを変更後の第１の符号化工程により、未だ符号化されていない後続の画像データを符号化させ、後続の符号化データとして前記記憶手段に記憶させる
ことを特徴とする画像処理方法。
【請求項１０】
コンピュータが実行することで、画像データを圧縮符号化する画像処理装置として機能するコンピュータプログラムであって、
量子化誤差演算モードを設定する設定手段と、
画像データを前記量子化誤差演算モードに応じた量子化誤差演算方法及び第１の量子化ステップに基づいて符号化する第１の符号化手段と、
前記第１の符号化手段で得られた符号化データを復号し、前記量子化誤差演算モードに応じた量子化誤差演算方法及び第２の量子化ステップに基づいて再符号化する第２の符号化手段と、
前記第１の符号化手段によって生成される符号化データの符号量を監視すると共に、当該符号量が所定量になったか否かを判断する符号量監視手段とを備え、
前記符号量監視手段によって前記符号量が所定量に達したと判断した場合に、
前記量子化誤差演算モードに応じた量子化誤差演算方法を再設定すると共に、前記第１、第２の量子化ステップを変更し、
前記第１の符号化手段で既に得られた符号化データを前記第２の符号化手段によって再符号化させ、
前記再符号化により得られた再符号化データを、前記第１量子化ステップを変更後の第１の符号化手段により前記画像データを符号化して得られた符号化データとして、所定の記憶手段に記憶させ、
前記第１量子化ステップを変更後の第１の符号化手段により、未だ符号化されていない後続の画像データを符号化させ、後続の符号化データとして前記記憶手段に記憶させる
として機能することを特徴とするコンピュータプログラム。
【請求項１１】
請求項１０に記載のコンピュータプログラムを格納したことを特徴とするコンピュータ可読記憶媒体。
【手続補正２】
【補正対象書類名】明細書
【補正対象項目名】００１２
【補正方法】変更
【補正の内容】
【００１２】
【課題を解決するための手段】
かかる課題を解決するため、例えば本発明の画像処理装置は以下の構成を備える。すなわち、
画像データを圧縮符号化する画像処理装置であって、
量子化誤差演算モードを設定する設定手段と、
画像データを前記量子化誤差演算モードに応じた量子化誤差演算方法及び第１の量子化ステップに基づいて符号化する第１の符号化手段と、
前記第１の符号化手段で得られた符号化データを復号し、前記量子化誤差演算モードに応じた量子化誤差演算方法及び第２の量子化ステップに基づいて再符号化する第２の符号化手段と、
前記第１の符号化手段によって生成される符号化データの符号量を監視すると共に、当該符号量が所定量になったか否かを判断する符号量監視手段とを備え、
前記符号量監視手段によって前記符号量が所定量に達したと判断した場合に、
前記量子化誤差演算モードに応じた量子化誤差演算方法を再設定すると共に、前記第１、第２の量子化ステップを変更し、
前記第１の符号化手段で既に得られた符号化データを前記第２の符号化手段によって再符号化させ、
前記再符号化により得られた再符号化データを、前記第１量子化ステップを変更後の第１の符号化手段により前記画像データを符号化して得られた符号化データとして、所定の記憶手段に記憶させ、
前記第１量子化ステップを変更後の第１の符号化手段により、未だ符号化されていない後続の画像データを符号化させ、後続の符号化データとして前記記憶手段に記憶させることを特徴とする。